(57)【特許請求の範囲】
【請求項１】
無線ネットワークにおける無線通信の方法であって、
前記無線ネットワークのサービス提供ｅノードＢから物理レイヤ・シグナリングを受信することと、前記物理レイヤ・シグナリングは、少なくとも１つの近隣ｅノードＢのサブフレームのための適応リソース区分情報（ＡＲＰＩ：adaptive resource partitioning information）を示し、
前記物理レイヤ・シグナリングにしたがって、ユーザ機器（ＵＥ）の空間等値化、干渉除去、干渉推定、またはこれらの組み合わせ、のうちの１つまたは複数を制御することと、
を備える方法。
【請求項２】
前記受信された物理レイヤ・シグナリングは、近隣ｅノードＢが送信状態にあるか、あるいは非送信状態にあるかを示す、請求項１に記載の方法。
【請求項３】
前記受信された物理レイヤ・シグナリングで示される前記ＡＲＰＩは、前記少なくとも１つの近隣ｅノードＢが、特定のサブフレームにおいて送信することを許可されているか否かを定義する、請求項１に記載の方法。
【請求項４】
前記少なくとも１つの近隣ｅノードＢが送信することを許可されていることが示され、前記干渉推定が、前記少なくとも１つの近隣ｅノードＢからの干渉を認識していない場合、前記少なくとも１つの近隣ｅノードＢから受信した信号の共分散推定を前記干渉推定に加えることによって、前記干渉推定を補正すること、をさらに備える請求項２に記載の方法。
【請求項５】
前記物理レイヤ・シグナリングが、前記少なくとも１つの近隣ｅノードＢのＡＲＰＩパターンの変化を示す、請求項２に記載の方法。
【請求項６】
前記物理レイヤ・シグナリングは、各近隣ｅノードＢ、または近隣ｅノードＢのグループに関する、請求項１に記載の方法。
【請求項７】
前記物理レイヤ・シグナリングは、サブ帯域、サブフレーム、特定の期間、またはこれらの組み合わせ、のうちの少なくとも１つまたは複数を示す、請求項１に記載の方法。
【請求項８】
前記空間等値化を制御することは、前記ＵＥが、ＭＭＳＥ（最小平均平方誤差）処理、またはＭＲＣ（最大比結合）／ＩＲＣ（干渉排除結合）処理を使用するかを制御することを備える、請求項１に記載の方法。
【請求項９】
無線通信のための装置であって、
前記無線ネットワークのサービス提供ｅノードＢから物理レイヤ・シグナリングを受信する手段と、前記物理レイヤ・シグナリングは、少なくとも１つの近隣ｅノードＢのサブフレームのための適応リソース区分情報（ＡＲＰＩ：adaptive resource partitioning information）を示し、
前記物理レイヤ・シグナリングにしたがって、ユーザ機器（ＵＥ）の空間等値化、干渉除去、干渉推定、またはこれらの組み合わせ、のうちの１つまたは複数を制御する手段と、
を備える装置。
【請求項１０】
前記受信された物理レイヤ・シグナリングで示される前記ＡＲＰＩは、前記少なくとも１つの近隣ｅノードＢが、特定のサブフレームにおいて送信することを許可されているか否かを定義する、請求項９に記載の装置。
【請求項１１】
無線通信のための装置であって、
メモリと、
前記メモリに接続された少なくとも１つのプロセッサとを備え、
前記少なくとも１つのプロセッサは、
前記無線ネットワークのサービス提供ｅノードＢから物理レイヤ・シグナリングを受信し、前記物理レイヤ・シグナリングは、少なくとも１つの近隣ｅノードＢのサブフレームのための適応リソース区分情報（ＡＲＰＩ：adaptive resource partitioning information）を示し、
前記物理レイヤ・シグナリングにしたがって、ユーザ機器（ＵＥ）の空間等値化、干渉除去、干渉推定、またはこれらの組み合わせ、のうちの１つまたは複数を制御する
ように構成された、装置。
【請求項１２】
前記受信された物理レイヤ・シグナリングは、近隣ｅノードＢが送信状態にあるか、あるいは非送信状態にあるかを示す、請求項１１に記載の装置。
【請求項１３】
前記受信された物理レイヤ・シグナリングで示される前記ＡＲＰＩは、前記少なくとも１つの近隣ｅノードＢが、特定のサブフレームにおいて送信することを許可されているか否かを定義する、請求項１１に記載の装置。
【請求項１４】
前記プロセッサはさらに、前記少なくとも１つの近隣ｅノードＢが送信することを許可されていることが示され、前記干渉推定が、前記少なくとも１つの近隣ｅノードＢからの干渉を認識していない場合、前記少なくとも１つの近隣ｅノードＢから受信した信号の共分散推定を前記干渉推定に加えることによって、前記干渉推定を補正するように構成された、請求項１２に記載の装置。
【請求項１５】
前記物理レイヤ・シグナリングが、前記少なくとも１つの近隣ｅノードＢのＡＲＰＩパターンの変化を示す、請求項１２に記載の装置。
【請求項１６】
前記物理レイヤ・シグナリングは、各近隣ｅノードＢ、または近隣ｅノードＢのグループに関する、請求項１１に記載の装置。
【請求項１７】
前記物理レイヤ・シグナリングは、サブ帯域、サブフレーム、特定の期間、またはこれらの組み合わせ、のうちの少なくとも１つまたは複数を示す、請求項１１に記載の装置。
【請求項１８】
前記空間等値化を制御するように構成されたプロセッサはさらに、前記ＵＥが、ＭＭＳＥ（最小平均平方誤差）処理、またはＭＲＣ（最大比結合）／ＩＲＣ（干渉排除結合）処理を使用するかを制御するように構成された、請求項１１に記載の装置。
【発明の詳細な説明】
【技術分野】
【０００１】
本開示のある態様は、一般に、無線通信システムに関し、さらに詳しくは、干渉を推定するためにユーザ機器をシグナリングすることに関する。
【背景技術】
【０００２】
無線通信ネットワークは、例えば音声、ビデオ、パケット・データ、メッセージング、ブロードキャスト等のようなさまざまな通信サービスを提供するために広く開発された。これら無線ネットワークは、利用可能なネットワーク・リソースを共有することにより、複数のユーザをサポートすることができる多元接続ネットワークでありうる。無線通信ネットワークは、多くのユーザ機器（ＵＥ）のための通信をサポートしうる多くの基地局を含みうる。ＵＥは、ダウンリンクおよびアップリンクによって基地局と通信しうる。ダウンリンク（すなわち順方向リンク）は、基地局からＵＥへの通信リンクを称し、アップリンク（すなわち逆方向リンク）は、ＵＥから基地局への通信リンクを称する。
【０００３】
基地局は、ダウンリンクでＵＥへデータおよび制御情報を送信し、および／または、アップリンクでＵＥからデータおよび制御情報を受信しうる。ダウンリンクでは、基地局からの送信が、近隣の基地局からの、または、その他の無線ラジオ周波数（ＲＦ）送信機からの送信による干渉と遭遇しうる。アップリンクでは、ＵＥからの送信が、近隣の基地局と通信する別のＵＥのアップリンク送信からの、または、別の無線ＲＦ送信機からの干渉と遭遇しうる。この干渉は、ダウンリンクとアップリンクとの両方のパフォーマンスを低下させうる。
【０００４】
モバイル・ブロードバンド・アクセスに対する需要が増加し続けると、ＵＥが長距離無線通信ネットワークにアクセスすることや、短距離無線システムがコミュニティにおいて展開されることとともに、干渉および混雑したネットワークの可能性が高まる。研究開発は、モバイル・ブロードバンド・アクセスのための増加する需要を満たすためのみならず、モバイル通信とのユーザ経験を進化および向上させるために、ＵＭＴＳ技術を進化させ続けている。
【発明の概要】
【０００５】
１つの態様では、無線通信の方法が開示される。この方法は、無線ネットワークのサービス提供ｅノードＢから物理レイヤ・シグナリングを受信することを含む。この方法はまた、物理レイヤ・シグナリングにしたがって、ユーザ機器（ＵＥ）の空間等値化、干渉除去、および／または、干渉推定を制御することを含む。
【０００６】
別の態様は、無線ネットワークのサービス提供ｅノードＢから物理レイヤ・シグナリングを受信する手段を含む装置を開示する。物理レイヤ・シグナリングにしたがって、ユーザ機器（ＵＥ）の空間等値化、干渉除去、および／または、干渉推定を制御する手段も含まれる。
【０００７】
別の態様では、無線ネットワークにおける無線通信のためのコンピュータ・プログラム製品が開示される。コンピュータ読取可能な媒体は、１または複数のプロセッサによって実行された場合に、プロセッサ（単数または複数）に対して、無線ネットワークのサービス提供ｅノードＢから物理レイヤ・シグナリングを受信する動作を実行させる、記録されたプログラム・コードを有している。プログラム・コードはまた、プロセッサ（単数または複数）に対して、物理レイヤ・シグナリングにしたがって、ユーザ機器（ＵＥ）の空間等値化、干渉除去、および／または、干渉推定を制御させる。
【０００８】
別の態様は、メモリと、メモリに接続された少なくとも１つのプロセッサとを有する、無線通信デバイスを開示する。プロセッサ（単数または複数）は、無線ネットワークのサービス提供ｅノードＢから物理レイヤ・シグナリングを受信するように構成される。プロセッサ（単数または複数）はまた、物理レイヤ・シグナリングにしたがって、ユーザ機器（ＵＥ）の空間等値化、干渉除去、および／または、干渉推定を制御するように構成される。
【０００９】
以下に続く詳細記載が良好に理解されるために、本開示の特徴および技術的利点が、広く概説された。本開示のさらなる特徴および利点が以下に記載されるだろう。本開示は、本開示のものと同じ目的を実行するために、修正したり、その他の構成を設計するための基礎として容易に利用されうることが当業者によって理解されるべきである。このような等価な構成は、特許請求の範囲に記載された開示の教示から逸脱しないこともまた当業者によって理解されるべきである。さらなる目的および利点とともに、動作の方法と構成との両方に関し、本開示の特徴であると信じられている新規の特徴が、添付図面と関連して考慮された場合に、以下の記載から良好に理解されるであろう。しかしながら、図面のおのおのは、例示および説明のみの目的のために提供されており、本開示の限界の定義として意図されていないことが明確に理解されるべきである。
【図面の簡単な説明】
【００１０】
本開示の特徴、特性、および利点は、同一の参照符号が全体を通じて同一物に特定している図面とともに考慮された場合、以下に記載する詳細な記載からより明らかになるだろう。
【図１】図１は、テレコミュニケーション・システムの例を概念的に例示するブロック図である。
【図２】図２は、テレコミュニケーション・システムにおけるダウンリンク・フレーム構造の例を概念的に例示する図である。
【図３】図３は、アップリンク通信におけるフレーム構造の例を概念的に例示するブロック図である。
【図４】図４は、本開示の１つの態様にしたがって構成された基地局／ｅノードＢとＵＥとの設計を概念的に例示するブロック図である。
【図５】図５は、本開示の態様にしたがうヘテロジニアスなネットワークにおける適応リソース区分を概念的に例示するブロック図である。
【図６】図６は、本開示の１つの態様にしたがう、物理レイヤ・シグナリングのための方法を例示するブロック図である。
【発明を実施するための形態】
【００１１】
添付図面とともに後述する詳細説明は、さまざまな構成の説明として意図されており、本明細書に記載された概念が実現される唯一の構成を示すことは意図されていない。この詳細説明は、さまざまな概念の完全な理解を提供することを目的とした具体的な詳細を含んでいる。しかしながら、これらの概念は、これら具体的な詳細無しで実現されうることが当業者に明らかになるであろう。いくつかの事例では、周知の構成および構成要素が、このような概念を曖昧にすることを避けるために、ブロック図形式で示されている。
【００１２】
本明細書に記載された技術は、例えばＣＤＭＡ、ＴＤＭＡ、ＦＤＭＡ、ＯＦＤＭＡ、ＳＣ−ＦＤＭＡ、およびその他のネットワークのようなさまざまな無線通信ネットワークのために使用されうる。用語「ネットワーク」および「システム」は、しばしば置換可能に使用される。ＣＤＭＡネットワークは、例えば、ユニバーサル地上ラジオ・アクセス（ＵＴＲＡ）、テレコミュニケーション・インダストリ・アソシエーション（ＴＩＡ）のｃｄｍａ２０００（登録商標）等のようなラジオ技術を実現しうる。ＵＴＲＡ技術は、広帯域ＣＤＭＡ（ＷＣＤＭＡ）、およびＣＤＭＡのその他の変形を含んでいる。ＣＤＭＡ２０００（登録商標）技術は、米国電子工業会（ＥＩＡ）およびＴＩＡからのＩＳ−２０００規格、ＩＳ−９５規格、およびＩＳ−８５６規格を含んでいる。ＴＤＭＡネットワークは、例えばグローバル移動体通信システム（ＧＳＭ（登録商標））のようなラジオ技術を実現しうる。ＯＦＤＭＡネットワークは、例えば、イボルブドＵＴＲＡ（Ｅ−ＵＴＲＡ）、ウルトラ・モバイル・ブロードバンド（ＵＭＢ）、ＩＥＥＥ  ８０２．１１（Ｗｉ−Ｆｉ）、ＩＥＥＥ  ８０２．１６（ＷｉＭＡＸ）、ＩＥＥＥ  ８０２．２０、Ｆｌａｓｈ−ＯＦＤＭ（登録商標）等のようなラジオ技術を実現しうる。ＵＴＲＡ技術およびＥ−ＵＴＲＡ技術は、ユニバーサル・モバイル・テレコミュニケーション・システム（ＵＭＴＳ）の一部である。３ＧＰＰロング・ターム・イボリューション（ＬＴＥ）およびＬＴＥ−アドバンスト（ＬＴＥ−Ａ）は、Ｅ−ＵＴＲＡを使用するＵＭＴＳの新たなリリースである。ＵＴＲＡ、Ｅ−ＵＴＲＡ、ＵＭＴＳ、ＬＴＥ、ＬＴＥ−Ａ、およびＧＳＭは、「第３世代パートシップ計画」（３ＧＰＰ）と呼ばれる団体からの文書に記載されている。ＣＤＭＡ２０００（登録商標）およびＵＭＢは、「第３世代パートナシップ計画２」（３ＧＰＰ２）と呼ばれる団体からの文書に記載されている。本明細書で記載された技術は、他の無線ネットワークおよびラジオ・アクセス技術のみならず、前述された無線ネットワークおよびラジオ・アクセス技術のためにも使用されうる。明確化のために、これら技術のある態様は、以下において、ＬＴＥまたはＬＴＥ−Ａ（代わりに、これらはともに“ＬＴＥ／−Ａ”と称される）について記載されており、このようなＬＴＥ−Ａ用語が以下の説明の多くで使用される。
【００１３】
図１は、ＬＴＥ−Ａネットワークでありうる無線通信ネットワーク１００を示す。無線ネットワーク１００は、多くのイボルブド・ノードＢ（ｅノードＢ）１１０およびその他のネットワーク・エンティティを含む。ｅノードＢは、ＵＥと通信する局であり、基地局、ノードＢ、アクセス・ポイント等とも称されうる。おのおののｅノードＢ１１０は、特定の地理的エリアのために通信有効通信範囲を提供する。３ＧＰＰでは、用語「セル」は、この用語が使用される文脈に依存して、有効通信範囲エリアにサービス提供しているｅノードＢおよび／またはｅノードＢサブシステムからなる特定の地理的有効通信範囲エリアを称しうる。
【００１４】
ｅノードＢは、マクロ・セル、ピコ・セル、フェムト・セル、および／または、その他のタイプのセルのために、通信有効通信範囲を提供しうる。マクロ・セルは、一般に、比較的大きな地理的エリア（例えば、半径数キロメータ）をカバーし、ネットワーク・プロバイダへのサービス加入を持つＵＥによる無制限のアクセスを許可しうる。ピコ・セルは、一般に、比較的小さな地理的エリアをカバーし、ネットワーク・プロバイダへのサービス加入を持つＵＥによる無制限のアクセスを許可しうる。フェムト・セルもまた一般に、比較的小さな地理的エリア（例えば、住宅）をカバーし、無制限のアクセスに加えて、フェムト・セルとの関連付けを持つＵＥ（例えば、クローズド加入者グループ（ＣＳＧ）内のＵＥ、住宅内のユーザのためのＵＥ等）による制限付のアクセスをも提供しうる。マクロ・セルのためのｅノードＢは、マクロｅノードＢと称されうる。ピコ・セルのためのｅノードＢは、ピコｅノードＢと称されうる。そして、フェムト・セルのためのｅノードＢは、フェムトｅノードＢまたはホームｅノードＢと称されうる。図１に示す例では、ｅノードＢ１１０ａ，１１０ｂ，１１０ｃは、マクロ・セル１０２ａ，１０２ｂ，１０２ｃそれぞれのためのマクロｅノードＢでありうる。ｅノードＢ１１０ｘは、ピコ・セル１０２ｘのためのピコｅノードＢでありうる。そして、ｅノードＢ１１０ｙ，１１０ｚは、それぞれフェムト・セル１０２ｙ，１０２ｚのためのフェムトｅノードＢである。ｅノードＢは、１または複数（例えば２，３，４個等）のセルをサポートしうる。
【００１５】
無線ネットワーク１００はさらに、中継局をも含みうる。中継局は、データおよび／またはその他の情報の送信を上流局（例えば、ｅノードＢ、ＵＥ等）から受信し、データおよび／またはその他の情報の送信を下流局（例えば、ＵＥまたはｅノードＢ）へ送信する局である。中継局はまた、他のＵＥのための送信を中継するＵＥでもありうる。図１に示す例では、中継局１１０ｒは、ｅノードＢ１１０ａとＵＥ１２０ｒとの間の通信を容易にするために、ｅノードＢ１１０ａおよびＵＥ１２０ｒと通信しうる。中継局はまた、リレーｅノードＢ、リレー等とも称されうる。
【００１６】
無線ネットワーク１００はまた、例えば、マクロｅノードＢ、ピコｅノードＢ、フェムトｅノードＢ、リレー等のような異なるタイプのｅノードＢを含むヘテロジニアスなネットワークでもありうる。これら異なるタイプのｅノードＢは、異なる送信電力レベル、異なる有効通信範囲エリア、および、無線ネットワーク１００内の干渉に対する異なるインパクトを有しうる。例えば、マクロｅノードＢは、高い送信電力レベル（例えば、２０ワット）を有する一方、ピコｅノードＢ、フェムトｅノードＢ、およびリレーは、低い送信電力レベル（例えば、１ワット）を有しうる。
【００１７】
無線ネットワーク１００は、同期動作をサポートしうる。同期動作の場合、ｅノードＢは、類似のフレーム・タイミングを有し、異なるｅノードＢからの送信は、時間的にほぼ揃えられうる。近くのｅノードＢのローカル同期は、本開示の目的のために「同期ネットワーク」と考えられるだろう。
【００１８】
１つの態様では、無線ネットワーク１００は、周波数分割多重（ＦＤＤ）動作モードまたは時分割多重（ＴＤＤ）動作モードをサポートしうる。本明細書に記載された技術は、ＦＤＤ動作モードまたはＴＤＤ動作モードの何れかのために使用されうる。
【００１９】
ネットワーク・コントローラ１３０は、ｅノードＢ１１０のセットに接続しており、これらｅノードＢ１１０のための調整および制御を提供しうる。ネットワーク・コントローラ１３０は、バックホールを介してｅノードＢ１１０と通信しうる。ｅノードＢ１１０はまた、例えば、ダイレクトに、または、無線バックホールまたは有線バックホールを介して非ダイレクトに、互いに通信しうる。
【００２０】
無線ネットワーク１００の全体にわたって、複数のＵＥ１２０が分布しうる。そして、おのおののＵＥは、固定式または移動式でありうる。ＵＥは、端末、移動局、加入者ユニット、局等とも称されうる。ＵＥは、セルラ電話、携帯情報端末（ＰＤＡ）、無線モデム、無線通信デバイス、ハンドヘルド・デバイス、ラップトップ・コンピュータ、コードレス電話、無線ローカル・ループ（ＷＬＬ）局、タブレット等でありうる。ＵＥは、マクロｅノードＢ、ピコｅノードＢ、フェムトｅノードＢ、リレー等と通信することができうる。図１では、両矢印を持つ実線が、ＵＥと、ダウンリンクおよび／またはアップリンクでＵＥにサービス提供するように指定されたｅノードＢであるサービス提供ｅノードＢとの間の所望の送信を示す。両矢印を持つ破線は、ＵＥとｅノードＢとの間の干渉送信を示す。
【００２１】
ＬＴＥは、ダウンリンクで周波数分割多重（ＯＦＤＭ）を、アップリンクでシングル・キャリア周波数分割多重（ＳＣ−ＦＤＭ）を利用する。ＯＦＤＭおよびＳＣ−ＦＤＭは、システム帯域幅を、一般にトーン、ビン等とも称される複数（Ｋ個）の直交サブキャリアに分割する。おのおののサブキャリアは、データとともに変調されうる。一般に、変調シンボルは、ＯＦＤＭを用いて周波数領域で、ＳＣ−ＦＤＭを用いて時間領域で送信される。隣接するサブキャリア間の間隔は固定され、サブキャリアの総数（Ｋ個）は、システム帯域幅に依存しうる。例えば、サブキャリアの間隔は、１５ｋＨｚでありうる。そして、（「リソース・ブロック」と呼ばれる）最小リソース割当は、１２サブキャリア（または１８０ｋＨｚ）でありうる。その結果、ノミナルＦＦＴサイズは、１．２５，２．５，５，１０，または２０メガヘルツ（ＭＨｚ）の対応するシステム帯域幅についてそれぞれ１２８，２５６，５１２，１０２４，または２０４８に等しくなりうる。システム帯域幅はまた、サブ帯域へ分割されうる。例えば、サブ帯域は、１．０８ＭＨｚ（すなわち、６リソース・ブロック）をカバーし、１．２５，２．５，５，１０，１５，または２０ＭＨｚの対応するシステム帯域幅についてそれぞれ１，２，４，８，または１６のサブ帯域が存在しうる。
【００２２】
図２は、ＬＴＥにおいて使用されるダウンリンクＦＤＤ構造を示す。ダウンリンクの送信タイムラインは、ラジオ・フレームの単位に分割されうる。おのおののラジオ・フレームは、（例えば１０ミリ秒（ｍｓ）のような）予め定められた持続時間を有し、０乃至９のインデクスを付された１０個のサブフレームへ分割されうる。おのおののサブフレームは、２つのスロットを含みうる。したがって、おのおののラジオ・フレームは、０乃至１９のインデクスを付された２０のスロットを含みうる。おのおののスロットは、Ｌ個のシンボル期間、（例えば、図２に示すような）通常のサイクリック・プレフィクスの場合、例えば、７つのシンボル期間を含み、拡張されたサイクリック・プレフィクスの場合、６つのシンボル期間を含みうる。おのおののサブフレームでは、２Ｌ個のシンボル期間が、０乃至２Ｌ−１のインデクスを割り当てられうる。利用可能な時間周波数リソースが、リソース・ブロックへ分割されうる。おのおののリソース・ブロックは、１つのスロットにおいてＮ個のサブキャリア（例えば、１２のサブキャリア）をカバーしうる。
【００２３】
ＬＴＥでは、ｅノードＢは、ｅノードＢにおける各セルについて、一次同期信号（ＰＳＣまたはＰＳＳ）および二次同期信号（ＳＳＣまたはＳＳＳ）を送信しうる。ＦＤＤ動作モードの場合、図２に示すように、一次同期信号および二次同期信号が、通常のサイクリック・プレフィクスを持つ各ラジオ・フレームのサブフレーム０およびサブフレーム５のおのおのにおいて、シンボル期間６およびシンボル期間５でそれぞれ送信されうる。これら同期信号は、セル検出および獲得のためにＵＥによって使用されうる。ＦＤＤ動作モードの場合、ｅノードＢは、サブフレーム０のスロット１におけるシンボル期間０乃至３で、物理ブロードキャスト・チャネル（ＰＢＣＨ）を送信しうる。ＰＢＣＨは、あるシステム情報を伝送しうる。
【００２４】
図２で見られるように、ｅノードＢは、各サブフレームの最初のシンボル期間で、物理制御フォーマット・インジケータ・チャネル（ＰＣＦＩＣＨ）を送信しうる。ＰＣＦＩＣＨは、制御チャネルのために使用されるシンボル期間の数（Ｍ）を伝えうる。ここで、Ｍは、１，２または３に等しく、サブフレーム毎に変化しうる。Ｍはまた、例えば、１０未満のリソース・ブロックのように、小さなシステム帯域幅に対して４に等しくなりうる。図２に示す例では、Ｍ＝３である。ｅノードＢは、おのおののサブフレームの最初のＭ個のシンボル期間において、物理ＨＡＲＱインジケータ・チャネル（ＰＨＩＣＨ）および物理ダウンリンク制御チャネル（ＰＤＣＣＨ）を送信しうる。ＰＤＣＣＨおよびＰＨＩＣＨもまた、図２に示す例における最初の３つのシンボル期間に含まれる。ＰＨＩＣＨは、ハイブリッド自動再送信（ＨＡＲＱ）をサポートするための情報を伝送しうる。ＰＤＣＣＨは、ＵＥのためのアップリンクおよびダウンリンクのリソース割当に関する情報と、アップリンク・チャネルのための電力制御情報とを伝送しうる。ｅノードＢはまた、おのおののサブフレームの残りのシンボル期間で、物理ダウンリンク共有チャネル（ＰＤＳＣＨ）を送信しうる。ＰＤＳＣＨは、ダウンリンクで、データ送信のためにスケジュールされたＵＥのためのデータを伝送しうる。
【００２５】
ｅノードＢは、ｅノードＢによって使用されるシステム帯域幅の中央の１．０８ＭＨｚでＰＳＣ、ＳＳＳ、およびＰＢＣＨを送信しうる。ｅノードＢは、これらのチャネルが送信される各シンボル期間において、システム帯域幅全体で、ＰＣＦＩＣＨおよびＰＨＩＣＨを送信しうる。ｅノードＢは、システム帯域幅のある部分で、ＵＥのグループにＰＤＣＣＨを送信しうる。ｅノードＢは、システム帯域幅の特定の部分で、ＵＥのグループにＰＤＳＣＨを送信しうる。ｅノードＢは、すべてのＵＥへブロードキャスト方式でＰＳＣ、ＳＳＣ、ＰＢＣＨ、ＰＣＦＩＣＨ、およびＰＨＩＣＨを送信し、ＰＤＣＣＨを、ユニキャスト方式で、特定のＵＥへ送信しうる。さらに、特定のＵＥへユニキャスト方式でＰＤＳＣＨをも送信しうる。
【００２６】
各シンボル期間において、多くのリソース要素が利用可能でありうる。おのおののリソース要素は、１つのシンボル期間において１つのサブキャリアをカバーしうる。そして、実数値または複素数値である１つの変調シンボルを送信するために使用されうる。制御チャネルのために使用されるシンボルのために、各シンボル期間において、基準信号のために使用されないリソース要素が、リソース要素グループ（ＲＥＧ）へ構成されうる。おのおののＲＥＧは、１つのシンボル期間内に、４つのリソース要素を含みうる。ＰＣＦＩＣＨは、シンボル期間０内に４つのＲＥＧを占有しうる。これらは、周波数にわたってほぼ均等に配置されうる。ＰＨＩＣＨは、１または複数の設定可能なシンボル期間内に３つのＲＥＧを占有しうる。これらは、周波数にわたって分散されうる。例えば、ＰＨＩＣＨのための３つのＲＥＧはすべて、シンボル期間０に属しうる。あるいは、シンボル期間０，１，２に分散されうる。ＰＤＣＣＨは、最初のＭ個のシンボル期間内に、９，１８，３６，または７２のＲＥＧを占有しうる。これらは、利用可能なＲＥＧから選択されうる。複数のＲＥＧからなるある組み合わせのみが、ＰＤＣＣＨのために許可されうる。
【００２７】
ＵＥは、ＰＨＩＣＨとＰＣＦＩＣＨとのために使用される特定のＲＥＧを認識しうる。ＵＥは、ＰＤＣＣＨを求めて、ＲＥＧの異なる組み合わせを探索しうる。探索する組み合わせの数は、一般に、ＰＤＣＣＨにおいてすべてのＵＥのために許可された組み合わせ数よりも少ない。ｅノードＢは、ＵＥが探索する組み合わせのうちの何れかのＵＥにＰＤＣＣＨを送信しうる。
【００２８】
ＵＥは、複数のｅノードＢの有効通信範囲内に存在しうる。これらのｅノードＢのうちの１つが、ＵＥにサービス提供するために選択されうる。サービス提供するｅノードＢは、例えば受信電力、経路喪失、信号対雑音比（ＳＮＲ）等のようなさまざまな基準に基づいて選択されうる。
【００２９】
図３は、アップリンク・ロング・ターム・イボリューション（ＬＴＥ）通信における典型的なＦＤＤおよびＴＤＤ（特別ではないサブフレームのみの）サブフレーム構造を概念的に例示するブロック図である。アップリンクのために利用可能なリソース・ブロック（ＲＢ）は、データ・セクションおよび制御セクションに分割されうる。制御セクションは、システム帯域幅の２つの端部において形成され、設定可能なサイズを有しうる。制御セクションにおけるリソース・ブロックは、制御情報の送信のために、ＵＥへ割り当てられうる。データ・セクションは、制御セクションに含まれていないすべてのリソース・ブロックを含みうる。図３における設計の結果、データ・セクションは、連続するサブキャリアを含むようになる。これによって、単一のＵＥは、連続するサブキャリアのすべてがデータ・セクション内に割り当てられるようになる。
【００３０】
ＵＥは、ｅノードＢへ制御情報を送信するために、制御セクション内にリソース・ブロックを割り当てられうる。ＵＥはまた、ｅノードＢへデータを送信するために、データ・セクション内にリソース・ブロックを割り当てられうる。ＵＥは、制御セクションにおいて割り当てられたリソース・ブロックで、物理アップリンク制御チャネル（ＰＵＣＣＨ）で制御情報を送信しうる。ＵＥは、データ・セクションにおいて割り当てられたリソース・ブロックで、物理アップリンク共有チャネル（ＰＵＳＣＨ）で、データのみ、または、データと制御情報との両方を送信しうる。アップリンク送信は、サブフレームからなる両スロットに及び、図３に示すように、周波数を越えてホップしうる。１つの態様によれば、緩和された単一キャリア動作において、ＵＬリソースで並列なチャネルが送信されうる。例えば、制御およびデータ・チャネル、並列制御チャネル、および並列データ・チャネルが、ＵＥによって送信されうる。
【００３１】
ＰＳＣ、ＳＳＣ、ＣＲＳ、ＰＢＣＨ、ＰＵＣＣＨ、ＰＵＳＣＨ、および、ＬＴＥ／−Ａで使用される他のこのような信号およびチャネルは、公的に利用可能な、「イボルブド・ユニバーサル地上ラジオ・アクセス（Ｅ−ＵＴＲＡ）；物理チャネルおよび変調」（Evolved Universal Terrestrial Radio Access (E-UTRA); Physical Channels and Modulation）と題された３ＧＰＰ  ＴＳ  ３６．２１１に記載されている。
【００３２】
図４は、図１における基地局／ｅノードＢのうちの１つ、およびＵＥのうちの１つでありうる、基地局／ｅノードＢ１１０とＵＥ１２０との設計のブロック図を示す。基地局１１０は、図１におけるマクロｅノードＢ１１０ｃでありうる。そして、ＵＥ１２０は、ＵＥ１２０ｙでありうる。基地局１１０はさらに、その他いくつかのタイプの基地局でもありうる。基地局１１０は、アンテナ４３４ａ乃至４３４ｔを備え、ＵＥ１２０は、アンテナ４５２ａ乃至４５２ｒを備えうる。
【００３３】
基地局１１０では、送信プロセッサ４２０が、データ・ソース４１２からデータを、コントローラ／プロセッサ４４０から制御情報を受信しうる。制御情報は、ＰＢＣＨ、ＰＣＦＩＣＨ、ＰＨＩＣＨ、ＰＤＣＣＨ等用でありうる。データは、ＰＤＳＣＨ等用でありうる。プロセッサ４２０は、データ・シンボルおよび制御シンボルをそれぞれ取得するために、データおよび制御情報を処理（例えば、符号化およびシンボル・マップ）しうる。プロセッサ４２０はさらに、例えばＰＳＳ、ＳＳＳのための基準シンボルや、セル特有の基準信号を生成しうる。送信（ＴＸ）複数入力複数出力（ＭＩＭＯ）プロセッサ４３０は、適用可能であれば、データ・シンボル、制御シンボル、および／または基準シンボルに空間処理（例えば、プリコーディング）を実行し、出力シンボル・ストリームを変調器（ＭＯＤ）４３２ａ乃至４３２ｔに提供しうる。おのおのの変調器４３２は、（例えば、ＯＦＤＭ等のために）それぞれの出力シンボル・ストリームを処理して、出力サンプル・ストリームを得る。おのおのの変調器４３２はさらに、出力サンプル・ストリームを処理（例えば、アナログ変換、増幅、フィルタ、およびアップコンバート）し、ダウンリンク信号を取得する。変調器４３２ａ乃至４３２ｔからのダウンリンク信号は、アンテナ４３４ａ乃至４３４ｔを介してそれぞれ送信されうる。
【００３４】
ＵＥ１２０では、アンテナ４５２ａ乃至４５２ｒが、基地局１１０からダウンリンク信号を受信し、受信した信号を、復調器（ＤＥＭＯＤ）４５４ａ乃至４５４ｒへそれぞれ提供しうる。おのおのの復調器４５４は、受信したそれぞれの信号を調整（例えば、フィルタ、増幅、ダウンコンバート、およびデジタル化）して、入力サンプルを取得しうる。おのおのの復調器４５４はさらに、（例えば、ＯＦＤＭ等のため）これら入力サンプルを処理して、受信されたシンボルを取得しうる。ＭＩＭＯ検出器４５６は、すべての復調器４５４ａ乃至４５４ｒから受信したシンボルを取得し、適用可能である場合、これら受信されたシンボルに対してＭＩＭＯ検出を実行し、検出されたシンボルを提供しうる。受信プロセッサ４５８は、検出されたシンボルを処理（例えば、復調、デインタリーブ、および復号）し、ＵＥ１２０のために復号されたデータをデータ・シンク４６０に提供し、復号された制御情報をコントローラ／プロセッサ４８０へ提供しうる。
【００３５】
アップリンクでは、ＵＥ１２０において、送信プロセッサ４６４が、データ・ソース４６２から（例えば、ＰＵＳＣＨのための）データを、コントローラ／プロセッサ４８０から（例えば、ＰＵＣＣＨのための）制御情報を受信し、これらを処理しうる。プロセッサ４６４はさらに、基準信号のための基準シンボルをも生成しうる。送信プロセッサ４６４からのシンボルは、適用可能であれば、ＴＸ  ＭＩＭＯプロセッサ４６６によってプリコードされ、さらに、（例えば、ＳＣ−ＦＤＭ等のために）変調器４５４ａ乃至４５４ｒによって処理され、基地局１１０へ送信されうる。基地局１１０では、ＵＥ１２０からのアップリンク信号が、アンテナ４３４によって受信され、復調器４３２によって処理され、適用可能な場合にはＭＩＭＯ検出器４３６によって検出され、さらに、受信プロセッサ４３８によって処理されて、ＵＥ１２０によって送信された復号されたデータおよび制御情報が取得されうる。プロセッサ４３８は、復号されたデータをデータ・シンク４３９に提供し、復号された制御情報をコントローラ／プロセッサ４４０へ提供しうる。基地局１１０は、例えばＸ２インタフェース４４１を介して、他の基地局へメッセージを送信しうる。
【００３６】
コントローラ／プロセッサ４４０，４８０は、基地局１１０およびＵＥ１２０それぞれにおける動作を指示しうる。基地局１１０におけるプロセッサ４４０および／またはその他のプロセッサおよびモジュールは、本明細書に記載された技術のためのさまざまな処理の実行または実行の指示を行いうる。ＵＥ１２０におけるプロセッサ４８０および／またはその他のプロセッサおよびモジュールは、図６の使用方法フロー・チャートに例示された機能ブロック、および／または、本明細書に記載された技術のためのその他の処理の実行または実行の指示を行いうる。メモリ４４２，４８２は、基地局１１０およびＵＥ１２０それぞれのためのデータおよびプログラム・コードを格納しうる。スケジューラ４４４は、ダウンリンクおよび／またはアップリンクでのデータ送信のためにＵＥをスケジュールしうる。
【００３７】
図１に戻って示すように、無線ネットワーク１００は、単位エリア毎のシステムのスペクトル効率を改善するために、ｅノードＢ１１０の多様なセット（すなわち、マクロｅノードＢ、ピコｅノードＢ、フェムトｅノードＢ、およびリレー）を使用する。無線ネットワーク１００は、スペクトル有効通信範囲のため、このように異なるｅノードＢを使用するので、ヘテロジニアスなネットワークとも称されうる。マクロｅノードＢ１１０ａ−ｃは、通常、無線ネットワーク１００のプロバイダによって、注意深く計画され、配置される。マクロｅノードＢ１１０ａ−ｃは、一般に、高い電力レベル（例えば、５Ｗ−４０Ｗ）で送信する。一般に、実質的に低い電力レベル（例えば、１００ｍＷ−２Ｗ）で送信するピコｅノードＢ１１０ｘおよびリレー１１０ｒは、マクロｅノードＢ１１０ａ−ｃによって提供される有効通信範囲エリアにおける有効通信範囲ホールをなくすために、および、ホット・スポットにおける容量を改善するために、比較的無計画な方式で配置されうる。一般に、無線ネットワーク１００から独立して配置されるフェムトｅノードＢ１１０ｙ−ｚはやはり、アドミニストレータ（単数または複数）によって許可されている場合には、無線ネットワーク１００への潜在的なアクセス・ポイントとして、または、リソース調整および干渉管理の調整を実行するために、無線ネットワーク１００の他のｅノードＢ１１０と通信しうる、少なくともアクティブでアウェアなｅノードＢとして、の何れかとして、無線ネットワーク１００の有効通信範囲エリアへ組み込まれうる。また、フェムトｅノードＢ１１０ｙ−ｚは、一般に、マクロｅノードＢ１１０ａ−ｃよりも実質的に低い電力レベル（例えば、１００ｍＷ−２Ｗ）でも送信する。
【００３８】
例えば無線ネットワーク１００のようなヘテロジニアスなネットワークの動作では、おのおののＵＥは、通常、良好な信号品質のｅノードＢ１１０によってサービス提供される一方、他のｅノードＢ１１０から受信された、求められない信号は、干渉として取り扱われる。このような動作原理は、最適とはいえないパフォーマンスをもたらす一方、ｅノードＢ１１０間における高度なリソース調整、より良好なサーバ選択戦略、および、効率的な干渉管理のためのより進化した技術を用いることによって、無線ネットワーク１００におけるネットワーク・パフォーマンスの向上が達成される。
【００３９】
例えばピコｅノードＢ１１０ｘのようなピコｅノードＢは、例えばマクロｅノードＢ１１０ａ−ｃのようなマクロｅノードＢと比較された場合、実質的に低い送信電力によって特徴付けられる。また、ピコｅノードＢは、通常、アド・ホック方式では、例えば無線ネットワーク１００のようなネットワークの周囲に配置されるだろう。この無計画な配置によって、例えば無線ネットワーク１００のような、ピコｅノードＢ配置を伴う無線ネットワークは、低い信号対干渉条件を持つ広いエリアを有することが期待されうる。これは、有効通信範囲エリアまたはセルの端部のＵＥ（「セル・エッジ」ＵＥ）への制御チャネル送信のためのよりチャレンジングなＲＦ環境を生み出しうる。さらに、マクロｅノードＢ１１０ａ−ｃと、ピコｅノードＢ１１０ｘとの送信電力レベル間に潜在的に大きな相違（例えば、約２０ｄＢ）があることは、混合された配置では、ピコｅノードＢ１１０ｘのダウンリンク有効通信範囲エリアが、マクロｅノードＢ１１０ａ−ｃのダウンリンク有効通信範囲エリアよりも格段に小さいであろうことを示唆している。
【００４０】
しかしながら、アップリンクの場合では、アップリンク信号の信号強度はＵＥによって管理されるので、何れかのタイプのｅノードＢ１１０によって受信された場合、類似するようになるであろう。大まかに同じまたは類似しているｅノードＢ１１０のアップリンク有効通信範囲エリアでは、アップリンク・ハンドオフ境界が、チャネル・ゲインに基づいて決定されるだろう。これは、ダウンリンク・ハンドオーバ境界とアップリンク・ハンドオーバ境界との間のミスマッチをもたらしうる。さらなるネットワーク適合が無ければ、このミスマッチは、無線ネットワーク１００における、サーバ選択、または、ｅノードＢに対するＵＥの関連付けを、ダウンリンクおよびアップリンクのハンドオーバ境界がより近く一致しているマクロｅノードＢのみのホモジニアスなネットワークにおけるよりも、より困難にするであろう。
【００４１】
サーバ選択が、ダウンリンク受信信号強度に支配的に基づくのであれば、例えば無線ネットワーク１００のようなヘテロジニアスなネットワークの混合ｅノードＢ配置の有用性が大きく損なわれうる。これは、例えばマクロｅノードＢ１１０ａ−ｃのような高電力マクロｅノードＢの有効通信範囲エリアが広くなると、例えばピコｅノードＢ１１０ｘのようなピコｅノードＢを用いてセル有効通信範囲を分割する利点を制限するからである。なぜなら、マクロｅノードＢ１１０ａ−ｃのダウンリンク受信信号強度が高くなることは、利用可能なＵＥのすべてに対して魅力的である一方、ピコｅノードＢ１１０ｘは、ダウンリンク送信電力がはるかに低いことによって、いずれのＵＥにもサービス提供しないからである。さらに、マクロｅノードＢ１１０ａ−ｃは、これらのＵＥに対して効率的にサービス提供するために、十分なリソースを持たない可能性が高くなるであろう。したがって、無線ネットワーク１００は、ピコｅノードＢ１１０ｘの有効通信範囲エリアを拡大することによって、マクロｅノードＢ１１０ａ−ｃとピコｅノードＢ１１０ｘとの間の負荷をアクティブに平準化するように試みるであろう。この概念は範囲拡張と称される。
【００４２】
無線ネットワーク１００は、サーバ選択が決定される方式を変更することによって、この範囲拡張を達成する。サーバ選択は、ダウンリンク受信信号強度に基づくのではなく、ダウンリンク信号の品質により基づく。１つのこのような品質ベースの決定では、サーバ選択は、ＵＥに対して最小の経路喪失しかもたらさないｅノードＢを決定することに基づきうる。さらに、無線ネットワーク１００は、マクロｅノードＢ１１０ａ−ｃと、ピコｅノードＢ１１０ｘとの間で等しく固定されたリソース分割を提供する。しかしながら、このようなアクティブな負荷平準化をもってしても、マクロｅノードＢ１１０ａ−ｃからのダウンリンク干渉は、例えばピコｅノードＢ１１０ｘのようなピコｅノードＢによってサービス提供されるＵＥのために緩和されねばならない。これは、ＵＥにおける干渉除去、ｅノードＢ１１０間のリソース調整等を含むさまざまな方法によって達成されうる。
【００４３】
例えば無線ネットワーク１００のように、範囲拡張されたヘテロジニアスなネットワークでは、例えばマクロｅノードＢ１１０ａ−ｃのような高電力のｅノードＢから送信された、より強いダウンリンク信号の存在下において、例えばピコｅノードＢ１１０ｘのような低電力のｅノードＢから、ＵＥがサービスを得るために、ピコｅノードＢ１１０ｘは、マクロｅノードＢ１１０ａ−ｃのうちの支配的な干渉元との制御チャネルおよびデータ・チャネルの干渉の調整を行う。干渉を管理するために、干渉調整のための別の多くの技術が適用されうる。例えば、同一チャネル配置におけるセルからの干渉を低減するために、セル間干渉調整（ＩＣＩＣ）が使用されうる。１つのＩＣＩＣメカニズムは、時分割多重（ＴＤＭ）分割である。ＴＤＭ分割は、あるｅノードＢにサブフレームを割り当てる。第１のｅノードＢに割り当てられたサブフレームでは、近隣のｅノードＢは送信しない。したがって、第１のｅノードＢによってサービス提供されるＵＥによってもたらされる干渉が低減される。サブフレーム割当は、アップリンク・チャネルとダウンリンク・チャネルとの両方で実行されうる。
【００４４】
例えば、サブフレームは、３つのクラスのサブフレーム、すなわち、保護サブフレーム（Ｕサブフレーム）、禁止サブフレーム（Ｎサブフレーム）、および共通サブフレーム（Ｃサブフレーム）間で割り当てられうる。保護サブフレームは、第１のｅノードＢによる限定的な使用のために第１のｅノードＢに割り当てられる。保護サブフレームはまた、近隣のｅノードＢからの干渉が無いことに基づいて、「クリーンな」サブフレームとも称される。禁止サブフレームは、近隣のｅノードＢに割り当てられたサブフレームであり、第１のｅノードＢは、禁止サブフレームの間、データを送信することを禁じられる。例えば、第１のｅノードＢの禁止サブフレームは、第２の干渉元のｅノードＢの保護サブフレームに対応しうる。したがって、第１のｅノードＢは、第１のｅノードＢの保護サブフレームの間にデータを送信している唯一のｅノードＢである。共通サブフレームは、複数のｅノードＢによるデータ送信のために使用されうる。共通サブフレームはまた、別のｅノードＢからの干渉の可能性があることから、「クリーンではない」サブフレームとも称されうる。
【００４５】
期間毎に、少なくとも１つの保護サブフレームが静的に割り当てられる。ある場合には、１つの保護サブフレームのみが静的に割り当てられる。例えば、期間が８ミリ秒である場合、１つの保護サブフレームが、毎８ミリ秒の間に、ｅノードＢに静的に割り当てられうる。他のサブフレームは動的に割り当てられうる。
【００４６】
適応リソース区分情報（ＡＲＰＩ：adaptive resource partitioning information）によって、非静的に割り当てられたサブフレームが、動的に割り当てられるようになる。保護サブフレーム、禁止サブフレーム、または共通サブフレーム（それぞれＡＵサブフレーム、ＡＮサブフレーム、ＡＣサブフレーム）の何れかが、動的に割り当てられうる。このような動的な割り当ては、例えば１００ミリ秒毎またはそれ未満毎のように、迅速に変化しうる。
【００４７】
ヘテロジニアスなネットワークは、異なる電力クラスのｅノードＢを有しうる。例えば、電力クラスが減少するに際し、マクロｅノードＢ、ピコｅノードＢ、およびフェムトｅノードＢのように、３つの電力クラスが定義されうる。マクロｅノードＢ、ピコｅノードＢ、およびフェムトｅノードＢが同一チャネルに配置されている場合、マクロｅノードＢ（攻撃ｅノードＢ）の電力スペクトル密度（ＰＳＤ）は、ピコｅノードＢおよびフェムトｅノードＢ（犠牲ｅノードＢｓ）のＰＳＤよりも大きく、ピコｅノードＢとフェムトｅノードＢとに多大な干渉をもたらしうる。保護サブフレームは、ピコｅノードＢおよびフェムトｅノードＢとの干渉を低減または最小化するために使用されうる。すなわち、保護サブフレームは、犠牲ｅノードＢが、攻撃ｅノードＢにおける禁止サブフレームに対応するようにスケジュールされうる。
【００４８】
図５は、本開示の１つの態様にしたがうヘテロジニアスなネットワークにおけるＴＤＭ区分を例示するブロック図である。ブロックの第１行は、フェムトｅノードＢのためのサブフレーム割当を例示しており、ブロックの第２行は、マクロｅノードＢのためのサブフレーム割当を例示している。ｅノードＢのおのおのは、静的な保護サブフレームを有する。この間、他のｅノードＢは、静的な禁止サブフレームを有する。例えば、フェムトｅノードＢは、サブフレーム０における禁止サブフレーム（Ｎサブフレーム）に対応する、サブフレーム０における保護サブフレーム（Ｕサブフレーム）を有する。同様に、マクロトｅノードＢは、サブフレーム７における禁止サブフレーム（Ｎサブフレーム）に対応する、サブフレーム７における保護サブフレーム（Ｕサブフレーム）を有する。サブフレーム１−６は、保護サブフレーム（ＡＵ）、禁止サブフレーム（ＡＮ）、および共通サブフレーム（ＡＣ）の何れかとして動的に割り当てられる。サブフレーム５，６において動的に割り当てられた共通サブフレーム（ＡＣ）では、フェムトｅノードＢとマクロｅノードＢとの両方が、データを送信しうる。
【００４９】
攻撃ｅノードＢは、送信することを禁止されているので、（例えばＵ／ＡＵサブフレームのような）保護サブフレームは、干渉が低減され、高いチャネル品質を有する。（例えば、Ｎ／ＡＮサブフレームのような）禁止サブフレームは、データ送信を有さないので、犠牲ｅノードＢは、低い干渉レベルでデータを送信できるようになる。（例えば、Ｃ／ＡＣサブフレームのような）共通サブフレームは、データを送信している近隣ｅノードＢの数に依存するチャネル品質を有する。例えば、近隣ｅノードＢが、共通サブフレームでデータを送信している場合、共通サブフレームのチャネル品質は、保護サブフレームよりも低くなりうる。共通サブフレームのチャネル品質はまた、攻撃ｅノードＢによって強く影響を受ける拡張境界エリア（ＥＢＡ）について低くなりうる。ＥＢＡ  ＵＥは、第１のｅノードＢに属するのみならず、第２のｅノードＢの有効通信範囲エリア内に配置されうる。例えば、フェムトｅノードＢ有効通信範囲の範囲限界近傍のマクロｅノードＢと通信するＵＥは、ＥＢＡ  ＵＥである。
【００５０】
ＬＴＥ／−Ａにおいて適用されうる別の干渉管理スキームの例は、緩慢な適応干渉管理である。干渉管理に対してこのアプローチを使用することによって、リソースが、ネゴシエートされ、スケジューリング間隔よりもはるかに大きな時間スケールにわたって割り当てられる。このスキームの目的は、時間リソースまたは周波数リソースのすべてにわたって、ネットワークの全体有用性を最大化する、送信元のｅノードＢとＵＥとのすべての送信電力の組み合わせを見つけることである。「有用性」は、ユーザ・データ・レート、サービス品質（ＱｏＳ）フローの遅れ、および公平メトリックに応じて定義されうる。このようなアルゴリズムは、最適化を解決するために使用されるすべての情報へのアクセスを有し、かつ、例えば、ネットワーク・コントローラ１３０（図１）のようなすべての送信エンティティに対する制御を有する、中央エンティティによって計算されうる。この中央エンティティは、必ずしも現実的ではないか、また、望ましくもないかもしれない。したがって、代替態様では、ノードのあるセットからのチャネル情報に基づいて、リソース利用量を決定する、分散アルゴリズムが使用されうる。したがって、緩慢な適応干渉アルゴリズムは、中央エンティティを用いて適用されるか、あるいは、ネットワーク内のノード／エンティティのさまざまなセットにわたってアルゴリズムを分散させることによって配置されうる。
【００５１】
例えば無線ネットワーク１００のようなヘテロジニアスなネットワークの配置では、ＵＥは、１または複数の干渉元のｅノードＢから高い干渉を観察しうる支配的な干渉シナリオで動作しうる。支配的な干渉シナリオは、制限された関連付けによって生じうる。例えば、図１では、ＵＥ１２０ｙが、フェムトｅノードＢ１１０ｙの近くにあり、ｅノードＢ１１０ｙに関し高い受信電力を有しうる。しかしながら、制約された関連性によって、ＵＥ１２０ｙは、フェムトｅノードＢ１１０ｙにアクセスすることができず、（図１に示すような）マクロｅノードＢ１１０ｃ、または、同様に低い受信電力を持つ（図１に示されていない）フェムトｅノードＢ１１０ｚに接続しうる。ＵＥ１２０ｙは、その後、ダウンリンクで、フェムトｅノードＢ１１０ｙからの高い干渉を観察し、アップリンクで、ｅノードＢ１１０ｙへ高い干渉を引き起こしうる。ｅノードＢ１１０ｃおよびフェムトｅノードＢ１１０ｙは、調整された干渉管理を用いて、リソースをネゴシエートするために、バックホールを介して通信しうる。このネゴシエーションでは、フェムトｅノードＢ１１０ｙは、チャネル・リソースのうちの１つにおける送信を停止することに合意する。これによって、ＵＥ１２０ｙは、同じチャネルを介してｅノードＢ１１０ｃと通信する場合ほど、フェムト１１０ｙからの干渉を受けなくなるであろう。
【００５２】
このような支配的な干渉シナリオでは、同期システムにおいてでさえも、ＵＥと複数のｅノードＢとの間の距離が異なることにより、ＵＥで観察された信号電力の不一致に加えて、ダウンリンク信号のタイミング遅れもＵＥによって観察されうる。同期システムにおけるｅノードＢは、システムにわたって、推定に基づいて同期される。しかしながら、例えば、マクロｅノードＢから５ｋｍの距離にあるＵＥを考慮すると、マクロｅノードＢから受信されたダウンリンク信号の伝搬遅れは、約１６．６７マイクロ秒（５ｋｍ÷３×１０８、すなわち、光速’ｃ’）の遅れとなるであろう。マクロｅノードＢからのダウンリンク信号を、より近いフェムトｅノードＢからのダウンリンク信号と比較すると、タイミング差は、時間トラッキング・ループ（ＴＬＬ）誤差のレベルに近づきうる。
【００５３】
さらに、このタイミング差は、ＵＥにおける干渉除去に悪影響を与えうる。干渉除去はしばしば、同じ信号の複数のバージョンの結合間の相互相関特性を用いる。同じ信号の複数のコピーを結合することによって、干渉は、より簡単に識別されうる。なぜなら、信号のおのおののコピーにおける干渉が存在するであろう間、干渉は、同じ場所にあることはないだろうからである。結合された信号の相互相関を用いて、実際の信号部分が判定され、干渉と区別されうる。これによって、干渉が除去されるようになる。
【００５４】
ＳＲＰＩ（semi-static resource partitioning information：準固定的リソース分割情報）とも称されるサブフレーム・タイプ「Ｕ」、「Ｎ」、「Ｘ」は、時間にわたって準固定的でありうるので、（例えば、ＳＩＢ（システム情報ブロック）における）高次レイヤ・シグナリングによってＵＥへ伝送されうる。ＡＰＲＩ（adaptive resource partitioning information：適応リソース分割情報）とも称されるサブ・タイプ「ＡＵ」、「ＡＮ」、「ＡＣ」は、参加しているｅノードＢの間で動的にネゴシエートされる。高次レイヤ・シグナリングは、大きなオーバヘッドおよび遅れを招くので、ＡＲＰＩサブ・タイプは、高次レイヤ・シグナリングによってＵＥに伝送することが困難である。この大きなオーバヘッドおよび遅れは、高次レイヤ・シグナリングを、動的な時間変動情報をシグナリングするのに不適切にする。少なくともこの理由で、今まで、ＡＲＰＩは、ＵＥに知られていなかった。
【００５５】
ＡＲＰＩサブ・タイプ、すなわち、「Ｘ」サブフレームは、ＵＥが干渉推定をどのように進めるのかに対して曖昧さを与える。例えば、「Ｘ」サブフレームにおける近隣セルのＣＲＳ（共通基準信号）トーンの時間／周波数位置が、サービス提供セルの共通基準信号位置と衝突し、かつ、ＵＥが、干渉推定のために、この共通基準信号を使用する場合、ＵＥの干渉推定は、ある事例におけるＡＮサブフレームのため、および他の事例におけるＡＵ／ＡＣサブフレームのため、にのみ適切でありうる。
【００５６】
この例では、ＵＥがＣＲＳ  ＩＣ（共通基準信号干渉除去）を適用しない場合、ＵＥの干渉推定は、近隣からの制御／データ送信を反映し、もって、ＡＵ／ＡＣサブフレームのために適切である。ＵＥが、共通基準信号干渉除去を適用する場合、ＵＥの干渉推定は、近隣からの制御／データ送信を反映せず、もって、ＡＮサブフレームのためにのみ適切である。ＵＥが、共通基準信号干渉除去を適用し、ＵＥが、近隣セルから受信した信号の共分散推定を、ＵＥの干渉推定に加える（「Ｎｔ ａｄｄ−ｂａｃｋ」と称される）場合、ＵＥの干渉推定は、近隣からの制御／データ送信を反映し、もって、ＡＵ／ＡＣサブフレームのために適切である。
【００５７】
しかしながら、ＵＥは、所与のＸサブフレームがＡＵ／ＡＣであるかＡＮであるかを知らないので、前述したシナリオのすべてにおいて、ミスマッチが生じうる。多くの場合、このミスマッチは、復号パフォーマンスと、ＣＱＩ（チャネル品質インジケータ）レポート精度に厳しいインパクトを与える。本開示の１つの態様では、ｅノードＢは、近隣セルの負荷状態をＵＥへシグナルし、受信しているＵＥは、受信機機能を改善するために、この情報を利用しうる。
【００５８】
一例では、ｅノードＢは、ＵＥのため、各近隣セルに、１ビットをシグナルしうる。特に、ｅノードＢは、近隣セルが送信しているか否かを詳述するビット・ステータスを送信しうる。言い換えれば、ｅノードＢは、「Ｘ」サブフレームが所与の近隣セルによって「ＡＮ」または「ＡＵ／ＡＣ」として使用されているかに関するシグナルを送信しうる。別の態様では、ｅノードＢは、各近隣セルのために複数のビットを送信しうる。ここで、各ビットは、特定のサブ帯域を表す。
【００５９】
共通基準信号干渉除去が可能なＵＥは、所与の近隣セルから受信した信号を、ＵＥの干渉推定に含めるか否かを判定するために、この情報を用いうる。適応リソース区分情報に関し、近隣のセル・サブフレーム・タイプが、ＡＵ／ＡＣであり、ＵＥのオリジナルの干渉推定が、（例えば、ＣＲＳ干渉除去のような）さまざまな理由によって、近隣セルからの干渉を取得することに失敗した場合、ＵＥは、近隣セルから受信した信号の共分散推定を、ＵＥの干渉推定に明示的に加えることによって、すなわち、「Ｎｔ  ａｄｄ−ｂａｃｋ」を適用することによって、干渉推定を補正しうる。
【００６０】
干渉推定は、例えば、制御チャネルおよびデータ・チャネルの復調／復号のようなさまざまな目的のため、および、ＣＱＩ（チャネル品質インジケータ）計算のために使用されうる。本明細書に記載された例示的な例では、ＵＥは、Ｎｔ  ａｄｄ−ｂａｃｋを適用するか否かを、各目的について独立して判定しうる。
【００６１】
本明細書において開示されたいくつかの態様では、ｅノードＢによるＵＥへのシグナリングは、サブフレーム毎ベースで、物理レイヤ上で実行されうる。言い換えれば、各サブフレームについて、新たな信号が、ＵＥに提供されうる。情報が急激に変化した場合、物理レイヤ・シグナリングは、情報の高速転送を提供する。これは、説明された信号のために有利でありうる。この信号は、物理ダウンリンク制御チャネル（ＰＤＣＣＨ）内の１または複数の追加のビットを用いて通信されうる。あるいは、オプションの態様では、信号は、物理ブロードキャスト・チャネル（ＰＢＣＨ）内の１または複数の追加のビットを用いて通信されうる。追加のビットは、１または複数の近隣セルによって使用されうる「Ｘ」フレームのタイプを識別する情報を含みうる。１つの構成では、干渉元の近隣セル毎に、各サブフレームについて１ビットを含む、フル・ビット・マスクが、使用され、各近隣セルについて、ＡＵ／ＡＣサブフレームに属するサブフレームが示されうる。ここでは、Ｎｔ  ａｄｄ−ｂａｃｋまたはその他の機能がイネーブルされるだろう。別の構成では、干渉元の各近隣セルについて、各サブフレームにおいて、ＰＤＣＣＨにおいて１ビットが使用され、サブフレームについてＮｔ  ａｄｄ−ｂａｃｋまたはその他の機能がイネーブルされる近隣セルが示されうる。また別の構成では、各サブフレームにおいて、ＰＤＣＣＨにおいて単一のビットが使用され、ＵＥがサブフレームにおいて観察するすべての近隣セルについて、Ｎｔ  ａｄｄ−ｂａｃｋまたはその他の機能を実行するかがＵＥへ示されうる。
【００６２】
別の態様では、物理レイヤ・シグナリングは、準固定的なトリガでありうる。例えば、受信機機能をイネーブルまたはディセーブルするために、開始時刻および／または終了期間が、トリガされうる。１つの構成では、準固定的なトリガは、ＰＤＣＣＨトリガ・メカニズムの準永続的なスケジューリング（ＳＰＳ）タイプで実施されうる。これは、例えば、新たなＰＤＣＣＨ  ＤＣＩ（ダウンリンク制御情報）フォーマットを導入すること、または、既存のＰＤＣＣＨ  ＤＣＩフォーマットにおいて特別のビット・パターンを用いることの何れかによって達成されうる。この構成では、例えば、信号は、近隣セルのＡＲＰＩに対応するビット・パターンを含みうる。別の構成では、信号は、近隣セルの予め割り当てられた１または複数のＡＲＰＩビット・パターンに対するインデクスを含みうる。１つの態様では、ＰＤＣＣＨのフォーマット１Ａが、準固定的なトリガのために使用される。
【００６３】
説明された態様にしたがってシグナリングすることによって通知および／または制御されうる、例えば、干渉推定のような受信機機能の例は、限定される訳ではないが、例えば、ＵＥが、ＭＭＳＥ（最小平均平方誤差）、ＭＲＣ（最大比結合）、および／または、ＩＲＣ（干渉排除結合）を使用するか、ＵＥが、干渉除去をイネーブルするか否か、および、ＵＥが、所与の近隣のセルを干渉者として考慮するか否か、のような空間等値化処理のタイプを含む。干渉除去は、ＣＲＳのため、制御チャネルのため、および／または、ＰＤＳＣＨのために個別に示されうる。ＵＥの空間等値化は、同一チャネル・ユーザがＭＵ  ＭＩＭＯ（マルチ・ユーザ複数入力複数出力）システムに存在するか否かをＵＥへシグナリングすることによって制御されうる。
【００６４】
図６は、ある受信機機能をトリガするための方法６００を例示する。ブロック６１０において、ＵＥは、ｅノードＢから物理レイヤ・シグナリングを受信する。ここで、ｅノードＢは、近隣セルの負荷状態をＵＥへシグナルしうる。ブロック６１２において、ＵＥは、受信した物理レイヤ・シグナリングにしたがって、ＵＥの空間等値化、干渉除去、および／または、干渉推定を制御する。
【００６５】
１つの構成では、受信する手段を含むＵＥ１２０が、無線通信のために構成される。１つの態様では、受信する手段は、受信する手段によって詳述された機能を実行するように構成されたアンテナ４５２ａ−ｒ、復調器４５４ａ−ｒ、ＭＩＭＯ検出器４５６、受信プロセッサ４５８、コントローラ／プロセッサ４８０、および／またはメモリ４８２でありうる。ＵＥ１２０はまた、制御する手段をも含むように構成される。１つの態様では、制御する手段は、制御する手段によって詳述された機能を実行するように構成されたコントローラ／プロセッサ４８０およびメモリ４８２でありうる。別の態様では、前述した手段は、前述した手段によって記述された機能を実行するように構成されたモジュールまたは任意の装置でありうる。
【００６６】
当業者であればさらに、本明細書の開示に関連して記載されたさまざまな例示的な論理ブロック、モジュール、回路、およびアルゴリズム・ステップが、電子工学ハードウェア、コンピュータ・ソフトウェア、あるいはこれらの組み合わせとして実現されることを理解するであろう。ハードウェアとソフトウェアとの相互置換性を明確に説明するために、さまざまな例示的な構成要素、ブロック、モジュール、回路、およびステップが、これらの機能の観点から一般的に記載された。これら機能がハードウェアとしてまたはソフトウェアとして実現されるかは、特定の用途およびシステム全体に課せられている設計制約に依存する。当業者であれば、特定の用途のおのおのに応じて変化する方式で、前述した機能を実現しうる。しかしながら、この適用判断は、本発明の範囲からの逸脱をもたらすものと解釈されるべきではない。
【００６７】
本明細書の開示に関連して記述されたさまざまな例示的な論理ブロック、モジュール、および回路は、汎用プロセッサ、デジタル信号プロセッサ（ＤＳＰ）、特定用途向け集積回路（ＡＳＩＣ）、フィールド・プログラマブル・ゲート・アレイ（ＦＰＧＡ）あるいはその他のプログラマブル論理デバイス、ディスクリート・ゲートあるいはトランジスタ・ロジック、ディスクリート・ハードウェア構成要素、または前述された機能を実現するために設計された前述した何れかの組み合わせを用いて実現または実施されうる。汎用プロセッサは、マイクロ・プロセッサでありうるが、代替例では、このプロセッサは、従来のプロセッサ、コントローラ、マイクロ・コントローラ、またはステート・マシンでありうる。プロセッサは、例えばＤＳＰとマイクロ・プロセッサとの組み合わせ、複数のマイクロ・プロセッサ、ＤＳＰコアと連携する１または複数のマイクロ・プロセッサ、またはその他任意のこのような構成であるコンピューティング・デバイスの組み合わせとして実現されうる。
【００６８】
本明細書の開示に関連して説明された方法またはアルゴリズムのステップは、ハードウェアで直接的に、プロセッサによって実行されるソフトウェア・モジュールで、またはこの２つの組合せで実施することができる。ソフトウェア・モジュールは、ＲＡＭメモリ、フラッシュ・メモリ、ＲＯＭメモリ、ＥＰＲＯＭメモリ、ＥＥＰＲＯＭメモリ、レジスタ、ハード・ディスク、リムーバブル・ディスク、ＣＤ−ＲＯＭ、あるいは当該技術分野で知られているその他の型式の記憶媒体に存在しうる。典型的な記憶媒体は、プロセッサが記憶媒体から情報を読み取り、また記憶媒体に情報を書き込むことができるようにプロセッサに結合される。あるいは、この記憶媒体は、プロセッサに統合されうる。このプロセッサと記憶媒体とは、ＡＳＩＣ内に存在しうる。ＡＳＩＣは、ユーザ端末内に存在しうる。あるいは、プロセッサおよび記憶媒体は、ユーザ端末内のディスクリートな構成要素として存在しうる。
【００６９】
１または複数の典型的な設計では、記載された機能は、ハードウェア、ソフトウェア、ファームウェア、あるいはそれらの任意の組み合わせによって実現されうる。ソフトウェアで実現される場合、これら機能は、コンピュータ読取可能な媒体上に格納されるか、あるいは、コンピュータ読取可能な媒体上の１または複数の命令群またはコードとして送信されうる。コンピュータ読取可能な媒体は、コンピュータ記憶媒体と通信媒体との両方を含む。これらは、コンピュータ・プログラムのある場所から別の場所への転送を容易にする任意の媒体を含む。記憶媒体は、汎用コンピュータまたは特別目的コンピュータによってアクセスされうる任意の利用可能な媒体でありうる。限定ではなく、一例として、このようなコンピュータ読取可能な媒体は、ＲＡＭ、ＲＯＭ、ＥＥＰＲＯＭ、ＣＤ−ＲＯＭまたはその他の光ディスク記憶装置、磁気ディスク記憶装置またはその他の磁気記憶装置、あるいは、命令群またはデータ構造の形式で所望のプログラム・コード手段を伝送または格納するために使用され、かつ、汎用コンピュータまたは特別目的コンピュータ、あるいは、汎用プロセッサまたは特別目的プロセッサによってアクセスされうるその他任意の媒体を備えうる。さらに、いかなる接続も、コンピュータ読取可能な媒体として適切に称される。同軸ケーブル、光ファイバ・ケーブル、ツイスト・ペア、デジタル加入者線（ＤＳＬ）、あるいは、例えば赤外線、無線およびマイクロ波のような無線技術を使用して、ウェブサイト、サーバ、あるいはその他の遠隔ソースからソフトウェアが送信される場合、同軸ケーブル、光ファイバ・ケーブル、ツイスト・ペア、ＤＳＬ、あるいは、例えば赤外線、無線およびマイクロ波のような無線技術が、媒体の定義に含まれる。本明細書で使用されるディスク（ｄｉｓｋおよびｄｉｓｃ）は、コンパクト・ディスク（ｄｉｓｃ）（ＣＤ）、レーザ・ディスク（ｄｉｓｃ）、光ディスク（ｄｉｓｃ）、デジタル多用途ディスク（ｄｉｓｃ）（ＤＶＤ）、フロッピー（登録商標）ディスク（ｄｉｓｋ）、およびブルー・レイ・ディスク（ｄｉｓｃ）を含む。これらｄｉｓｃは、レーザを用いてデータを光学的に再生する。それに対して、ｄｉｓｋは、通常、データを磁気的に再生する。前述した組み合わせもまた、コンピュータ読取可能な媒体の範囲内に含まれるべきである。
【００７０】
本開示の上記記載は、当業者をして、本開示の製造または利用を可能とするように提供される。本開示に対するさまざまな変形は、当業者に容易に明らかであって、本明細書で定義された一般原理は、本開示の精神または範囲から逸脱することなく、他のバリエーションに適用されうる。このように、本開示は、本明細書で示された例および設計に限定されることは意図されておらず、本明細書で開示された原理および新規な特徴に一致した最も広い範囲に相当するとされている。
以下に、本願出願の当初の特許請求の範囲に記載された発明を付記する。
［Ｃ１］  無線ネットワークにおける無線通信の方法であって、
前記無線ネットワークのサービス提供ｅノードＢから物理レイヤ・シグナリングを受信することと、
前記物理レイヤ・シグナリングにしたがって、ユーザ機器（ＵＥ）の空間等値化、干渉除去、および干渉推定のうちの少なくとも１つを制御することと、
を備える方法。
［Ｃ２］  前記受信された物理レイヤ・シグナリングは、近隣ｅノードＢの負荷状態を示す、Ｃ１に記載の方法。
［Ｃ３］  前記受信された物理レイヤ・シグナリングは、少なくとも１の近隣ｅノードＢのサブフレームのための適応リソース区分情報（ＡＲＰＩ：adaptive resource partitioning information）を示し、
前記ＡＲＰＩは、前記少なくとも１つの近隣ｅノードＢが、特定のサブフレームにおいて送信することを許可されているか否かを定義する、Ｃ１に記載の方法。
［Ｃ４］  前記少なくとも１つの近隣ｅノードが送信することを許可されていることが示され、前記干渉推定が、前記少なくとも１つの近隣ｅノードＢからの干渉を認識していない場合、前記少なくとも１つの近隣ｅノードＢから受信した信号の共分散推定を前記干渉推定に加えることによって、前記干渉推定を補正すること、をさらに備えるＣ２に記載の方法。
［Ｃ５］  前記物理レイヤ・シグナリングが、前記少なくとも１つの近隣ｅノードＢのＡＲＰＩパターンの変化を示す、Ｃ２に記載の方法。
［Ｃ６］  前記物理レイヤ・シグナリングは、各近隣ｅノードＢ、および近隣ｅノードＢのグループのうちの１つに関する、Ｃ１に記載の方法。
［Ｃ７］  前記物理レイヤ・シグナリングは、サブ帯域、サブフレーム、および特定の期間のうちの少なくとも１つを示す、Ｃ１に記載の方法。
［Ｃ８］  前記空間等値化を制御することは、前記ＵＥが、ＭＭＳＥ（最小平均平方誤差）処理、またはＭＲＣ（最大比結合）／ＩＲＣ（干渉排除結合）処理を使用するかを制御することを備える、Ｃ１に記載の方法。
［Ｃ９］  無線通信のための装置であって、
前記無線ネットワークのサービス提供ｅノードＢから物理レイヤ・シグナリングを受信する手段と、
前記物理レイヤ・シグナリングにしたがって、ユーザ機器（ＵＥ）の空間等値化、干渉除去、および干渉推定のうちの少なくとも１つを制御する手段と、
を備える装置。
［Ｃ１０］  前記受信された物理レイヤ・シグナリングは、少なくとも１の近隣ｅノードＢのサブフレームのための適応リソース区分情報（ＡＲＰＩ：adaptive resource partitioning information）を示し、
前記ＡＲＰＩは、前記少なくとも１つの近隣ｅノードＢが、特定のサブフレームにおいて送信することを許可されているか否かを定義する、Ｃ９に記載の装置。
［Ｃ１１］  無線ネットワークにおける無線通信のためのコンピュータ・プログラム製品であって、
記録された非一時的なプログラム・コードを有する非一時的なコンピュータ読取可能な媒体を備え、前記プログラム・コードは、
前記無線ネットワークのサービス提供ｅノードＢから物理レイヤ・シグナリングを受信するためのプログラム・コードと、
前記物理レイヤ・シグナリングにしたがって、ユーザ機器（ＵＥ）の空間等値化、干渉除去、および干渉推定のうちの少なくとも１つを制御するためのプログラム・コードと、
を備えるコンピュータ・プログラム製品。
［Ｃ１２］  前記受信された物理レイヤ・シグナリングは、少なくとも１の近隣ｅノードＢのサブフレームのための適応リソース区分情報（ＡＲＰＩ：adaptive resource partitioning information）を示し、
前記ＡＲＰＩは、前記少なくとも１つの近隣ｅノードＢが、特定のサブフレームにおいて送信することを許可されているか否かを定義する、Ｃ１１に記載のコンピュータ・プログラム製品。
［Ｃ１３］  無線通信のための装置であって、
メモリと、
前記メモリに接続された少なくとも１つのプロセッサとを備え、
前記少なくとも１つのプロセッサは、
前記無線ネットワークのサービス提供ｅノードＢから物理レイヤ・シグナリングを受信し、
前記物理レイヤ・シグナリングにしたがって、ユーザ機器（ＵＥ）の空間等値化、干渉除去、および干渉推定のうちの少なくとも１つを制御する
ように構成された、装置。
［Ｃ１４］  前記受信された物理レイヤ・シグナリングは、近隣ｅノードＢの負荷状態を示す、Ｃ１３に記載の装置。
［Ｃ１５］  前記受信された物理レイヤ・シグナリングは、少なくとも１の近隣ｅノードＢのサブフレームのための適応リソース区分情報（ＡＲＰＩ：adaptive resource partitioning information）を示し、
前記ＡＲＰＩは、前記少なくとも１つの近隣ｅノードＢが、特定のサブフレームにおいて送信することを許可されているか否かを定義する、Ｃ１３に記載の装置。
［Ｃ１６］  前記プロセッサはさらに、前記少なくとも１つの近隣ｅノードが送信することを許可されていることが示され、前記干渉推定が、前記少なくとも１つの近隣ｅノードＢからの干渉を認識していない場合、前記少なくとも１つの近隣ｅノードＢから受信した信号の共分散推定を前記干渉推定に加えることによって、前記干渉推定を補正するように構成された、Ｃ１４に記載の装置。
［Ｃ１７］  前記物理レイヤ・シグナリングが、前記少なくとも１つの近隣ｅノードＢのＡＲＰＩパターンの変化を示す、Ｃ１４に記載の装置。
［Ｃ１８］  前記物理レイヤ・シグナリングは、各近隣ｅノードＢ、および近隣ｅノードＢのグループのうちの１つに関する、Ｃ１４に記載の装置。
［Ｃ１９］  前記物理レイヤ・シグナリングは、サブ帯域、サブフレーム、および特定の期間のうちの少なくとも１つを示す、Ｃ１３に記載の装置。
［Ｃ２０］  前記空間等値化を制御するように構成されたプロセッサはさらに、前記ＵＥが、ＭＭＳＥ（最小平均平方誤差）処理、またはＭＲＣ（最大比結合）／ＩＲＣ（干渉排除結合）処理を使用するかを制御するように構成された、Ｃ１３に記載の装置。
【図１】
0005543669.tif 000002
【図２】
0005543669.tif 000003
【図３】
0005543669.tif 000004
【図４】
0005543669.tif 000005
【図５】
0005543669.tif 000006
【図６】
0005543669.tif 000007